(57)【要約】【課題】バーベキュー炉自体が迅速且つ工具を必要とせずに折畳収合及び展開ができ、使用者の外出時の携帯及び収納使用を便利にすること。【解決手段】台座１０は２個の相対する外側板１１・外蓋板１２及び底盤１３を結合して構成し、外側板１１の外表面には取っ手１１１を有し、内面の上縁の近くに相対する２個の凸状粒１１２を有し、両端には側翼１１３を設ける。側翼１１３の底端にはそれぞれ円孔１１４を有し、且つ相互に対称となっており；外蓋板１２本体表面の下縁の近くに半円孔１２１を打抜きプレスで孔をあけ、半円孔１２１には内向きに半円凸片１２２を凸出し、外蓋板１２の上縁近くの外表面に凸蓋体１２３を設ける。内面の下縁に近い箇所に凸耳１２４を有し、凸耳１２４上には円孔１２５を有する；底盤１３の長辺の両端には長型凸出物１３１を有し、長型凸出物１３１の両端には円孔１３２を有し、中央底端には可動取っ手１３３を設ける。【選択図】　図２
0003097771.tif 000002
【実用新案登録請求の範囲】
【請求項１】
台座・火床及び網枠を組合せた折畳式バーベキュー炉であって、以下の構成からなることを特徴とする一種の折畳式バーベキュー炉。
前記台座は２個の相対する外側板・外蓋板及び底盤を結合して構成する。その中で、外側板の外表面には１個の取っ手を有し、内面の上縁の近くに相対する２個の凸状粒を有し、両端には２個の側翼を設ける。２個の側翼の底端にはそれぞれ１個の円孔を有し、且つ相互に対称となっており；一方外蓋板本体表面の下縁の近くに３個の半円孔を打抜きプレスで孔をあけ、半円孔には内向きに１個の半円凸片を凸出し、外蓋板の上縁近くの外表面に２個の凸蓋体を設ける。別に、内面の下縁に近い箇所に２個の凸耳を有し、凸耳上には円孔を有する；また、底盤の長辺の両端には２個の長型凸出物を有し、長型凸出物の両端には２個の円孔を有し、中央底端には１個の可動取っ手を設ける。別に、底盤４隅に近い箇所に４個の凸耳を設け、凸耳上には円孔を有する；
底盤の４隅の凸耳円孔を外蓋板円孔に合わせリベットで連結、次に底盤長型凸出物の両端の円孔を外側板の側翼底端の円孔に合わせてリベットで連結し、如何なる工具も必要とせず、外蓋板と外側板に底盤上に内向きに折畳収合の機能と外向き９０°展開し固定する機能を形成する。
【請求項２】
外蓋板内面の下縁に近い箇所の２個の凸耳は、内面の任意の位置上に設置し、一方底盤４隅の近くの４個の凸耳もまた外蓋板の位置に随い設定し、組合連結を利することを特徴とする請求項１記載の折畳式バーベキュー炉。
【請求項３】
外側板内面の凸状粒は外蓋板の端を上縁に支え、台座を固定する機能を有することを特徴とする請求項１記載の折畳式バーベキュー炉。
【考案の詳細な説明】
【０００１】
【考案の属する技術分野】
本考案は一種の折畳式バーベキュー炉で、特に如何なる工具も必要とせずに迅速な折畳収合ができ、収合の特性による据付時の空間減少・収納の便利・収合時の体積の減少・携帯の便利を具え、戸外バーベキューレジャー活動に従事する時、更に実用的で便利な効果を提供する折畳式バーベキュー炉に関する。
【０００２】
【従来の技術】
現在は戸外レジャー活動が普遍的に重視されると同時に、キャンプ・旅行・祭日の団欒及び戸外集会では、バーベキューは既に不可欠の必須活動項目の一つになっている。日常の使用量の増加に伴い、各形式バーベキュー炉の構造設計及び機能の向上は常に日進月歩と言える。
【０００３】
【考案が解決しようとする課題】
それ故、バーベキュー炉自体が迅速且つ工具を必要とせずに折畳収合及び展開ができ、使用者の外出時の携帯及び収納使用を便利にすることは、今日の各形式バーベキュー炉の構造設計が努力追求する目標である。
【０００４】
【課題を解決するための手段】
このことに鑑み、本考案者は改良を考え、実務経験と不断の研究改良進歩を結合して、終に一種の『折畳式バーベキュー炉（四）』を考案し、更に便利性と実用性を具えたバーベキュー炉構造を提供した。本考案の設計により以下の考案目的を達成できる。
【０００５】
本考案設計の目的は、一種の折畳式バーベキュー炉（四）の提供で、その主要なものには、台座・火床及び網枠を組合せて構成したものを含む。その中で、台座は２個の相対する外側板・外蓋板及び底盤を結合して構成し、且つ底盤の４隅に近い箇所の凸耳と外蓋板の凸耳をリベットで連結する。連結箇所は底盤と外蓋板の旋回の中心となり、外蓋板を９０°旋回させる；別に底盤の長型凸出物両端の円孔と両外側板底端の４個の円孔をリベットで連結する。連結箇所は底盤と外側板の旋回の中心となり、外側板を９０°旋回させる；一方外側板の上縁内面の近くに有り相対する凸状粒は、外蓋板と外側板を展開する時に、外蓋板の縁を支え、台座の固定を完成する。この設計により、同折畳式バーベキュー炉はバーベキュー活動の用途に適い、且つ如何なる工具も必要とせず展開及び収合ができ、収納及び携帯を便利にする効果を具え、優れた実用性と便利性を大いに具える。
【０００６】
本考案は一種の折畳式バーベキュー炉（四）に関するもので、主要なものは台座・火床及び網枠を組合せて構成したものを含む。その中で、台座は２個の相対する外側板・外蓋板及び底盤を結合して構成し、且つ底盤の４隅に近い箇所の凸耳と外蓋板の凸耳をリベットで連結する。連結箇所は底盤と外蓋板の旋回の中心となり、外蓋板を９０°旋回させる；別に底盤の長型凸出物両端の円孔と両外側板底端の４個の円孔をリベットで連結する。連結箇所は底盤と外側板の旋回の中心となり、外側板を９０°旋回させる；一方外側板の上縁内面の近くに有り相対する凸状粒は、外蓋板と外側板を展開する時に、外蓋板の縁を支え、台座の固定を完成する。この設計により、同折畳式バーベキュー炉はバーベキュー活動の用途に適い、且つ如何なる工具も必要とせず展開及び収合ができ、収納及び携帯を便利にする効果を具え、優れた実用性と便利性を大いに具える。
【０００７】
【考案の実施の形態】
本考案の構造の特徴及び特長を明確に説明する為に、添付図を利用して以下に詳細説明する。
【０００８】
先ず図１は本考案の折畳式バーベキュー炉（１）の立体分解図を示す。その主要なものは、台座（１０）・火床（２０）及び網枠（３０）の組合で構成してある。図２に示すように、同台座（１０）は２個の相対する外側板（１１）・外蓋板（１２）及び底盤（１３）を結合して構成してある。その中で、外側板（１１）の外表面には１個の取っ手（１１１）を有し、内面の上縁の近くに相対する２個の凸状粒（１１２）を有し、両端には２個の側翼（１１３）を設ける。２個の側翼（１１３）の底端にはそれぞれ１個の円孔（１１４）を有し、且つ相互に対称となっている；一方外蓋板（１２）本体表面の下縁の近くに３個の半円孔（１２１）を打抜きプレスで孔をあける。半円孔（１２１）は内向きに１個の半円凸片（１２２）を凸出し、外蓋板（１２）の上縁近くの外表面に２個の凸蓋体（１２３）を設ける。別に、内面の下縁に近い箇所に２個の凸耳（１２４）（内面の任意の位置）を有し、凸耳（１２４）上には円孔（１２５）を有する；また、底盤（１３）の長辺の両端には２個の長型凸出物（１３１）を有し、長型凸出物（１３１）の両端には２個の円孔（１３２）を有し、中央底端には１個の可動取っ手（１３３）を設ける。別に、底盤（１３）の４隅に近い箇所に４個の凸耳（１３４）を設け、凸耳（１３４）上には円孔（１３５）を有する。凸耳（１３４）の位置は外蓋板（１２）　の凸耳（１２４）の位置に随い変えることができる。
【０００９】
台座（１０）の組合は、底盤（１３）の４隅の近くの凸耳（１３４）の円孔（１３５）を外蓋板（１２）の凸耳（１２４）の円孔（１２５）に合わせリベット（１２６）を差込み連結、次に底盤（１３）の長型凸出物（１３１）の両端の円孔（１３２）を外側板（１１）の側翼（１１３）底端の円孔（１１４）に合わせてリベット（１１５）で連結し、外蓋板（１２）と外側板（１１）に底盤（１３）上に折畳収合の機能を形成させる。
【００１０】
更に図３と図４を参照して説明する。台座（１０）を使用する時は、先ず外側板（１１）の取っ手（１１１）を両外側に向けて９０°旋回し、外側板（１１）の底辺を底盤（１３）の縁に支える。次に指で外蓋板（１２）外表面の凸耳（１２３）を外側に９０°旋回して展開し、外蓋板（１２）外表面を底盤（１３）の長型凸出物（１３１）で支える；この時、外側板（１１）の凸状粒（１１２）は外蓋板（１２）の端を上縁の近い箇所で支え、台座（１０）の固定設置を完成でき、如何なる工具も必要としない。次に、火床（２０）を半円凸片（１２２）上に置き、更に網枠（３０）を置けば、図５の如く、本考案の折畳式バーベキュー炉（四）使用の組合を完成する。
【００１１】
使用を終了した本考案の折畳式バーベキュー炉（四）は、先ず網枠（３０）を除き、火床（２０）を取出し、外蓋板（１２）を台座（１０）に向けて内側に９０°旋回して折畳み、次に外側板（１１）を台座（１０）に向けて内側に９０°旋回して折畳めば、図６に示す如く、台座（１０）の収合を完成する；図７を参照。更に台座（１０）・火床（２０）及び網枠（３０）を収納箱（４０）に収めて、携帯を便利にする。
【００１２】
上に述べたことの綜合として、本考案の「折畳式バーベキュー炉（四）」は、迅速且つ如何なる工具も必要とせずに折畳収合ができ、収合の特性による据付時の空間減少・収納の便利・収合時の体積の減少・携帯の便利を具え、戸外バーベキューレジャー活動に従事する時、更に実用的で便利な効果を提供する。故に、本考案の設計は誠に１つの優良な考案であり、且つ本考案は前例を見ない設計で、新型特許の申請要件に符合しているので、ここに法に則り申請を提出する。
【図面の簡単な説明】
【図１】本考案の立体分解図である。
【図２】本考案の台座を示す立体分解図である。
【図３】本考案の台座外側板の折畳収合時の実施例図である。
【図４】本考案の台座外蓋板の折畳収合時の実施例図である。
【図５】本考案の立体組立図である。
【図６】本考案の台座の収合立体図である。
【図７】本考案を収合後に収納箱に置いた状態を示す立体図である。
【符号の説明】
（１）　　　折畳式バーベキュー炉　　　　　　　　　　　　　　　　　　　　（１０）　　　　台座
（１１）　　　外側板　　　　　　　　　　　　　　　　　　　　　　　　　　　　　　　　　　（１１１）　　　取っ手
（１１２）　　凸状粒　　　　　　　　　　　　　　　　　　　　　　　　　　　　　　　　　　（１１３）　　　側翼
（１１４）　　円孔　　　　　　　　　　　　　　　　　　　　　　　　　　　　　　　　　　　　（１１５）　　　リベット
（１２）　　　外蓋板
（１２１）　　半円孔　　　　　　　　　　　　　　　　　　　　　　　　　　　　　　　　　　（１２２）　　　半円凸片
（１２３）　　凸蓋体　　　　　　　　　　　　　　　　　　　　　　　　　　　　　　　　　　（１２４）　　　凸耳
（１２５）　　円孔　　　　　　　　　　　　　　　　　　　　　　　　　　　　　　　　　　　　（１２６）　　　リベット
（１３）　　　底盤　　　　　　　　　　　　　　　　　　　　　　　　　　　　　　　　　　　　（１３１）　　　長型凸出物
（１３２）　　円孔　　　　　　　　　　　　　　　　　　　　　　　　　　　　　　　　　　　　（１３３）　　　可動取っ手
（１３４）　　凸耳　　　　　　　　　　　　　　　　　　　　　　　　　　　　　　　　　　　　（１３５）　　　円孔
（２０）　　　火床　　　　　　　　　　　　　　　　　　　　　　　　　　　　　　　　　　　　（３０）　　　　網枠
（４０）　　　収納箱
【図１】
0003097771.tif 000003
【図２】
0003097771.tif 000004
【図３】
0003097771.tif 000005
【図４】
0003097771.tif 000006
【図５】
0003097771.tif 000007
【図６】
0003097771.tif 000008
【図７】
0003097771.tif 000009